【手続補正書】
【提出日】平成16年6月9日(2004.6.9)
【手続補正１】
【補正対象書類名】明細書
【補正対象項目名】特許請求の範囲
【補正方法】変更
【補正の内容】
【特許請求の範囲】
【請求項１】  筆記用具であって、
細長い筆記用具本体と、グリップ部材と、を有し、
前記グリップ部材は、ユーザにより握られる位置に設けられた滑らかな外面を有し、エラストマー材料で形成され、且つ、溶着、溶剤接着、２段階同時射出成形又は２成分射出成形のうちの１つの方法によって前記筆記用具本体に接着されることを特徴とする筆記用具。
【請求項２】  前記グリップ部材が複数の高くなった部分を有することを特徴とする請求項１に記載の筆記用具。
【請求項３】  更に、キャップを有し、
前記グリップ部材が、前記キャップによって受入れられるように形状及び寸法が決められることを特徴とする請求項１に記載の筆記用具。
【請求項４】  前記グリップ部材が前記筆記用具本体の材料よりも軟らかい材料で作られることを特徴とする請求項１に記載の筆記用具。
【請求項５】  前記グリップ部材が３〜１５ジュロメータの範囲のショアＡスケール硬さを有することを特徴とする請求項４に記載の筆記用具。
【請求項６】  前記グリップ部材の形成の結果、前記グリップ部材が前記筆記用具本体にくっつけられるように、前記グリップ部材が形成されることを特徴とする請求項１に記載の筆記用具。
【請求項７】  筆記用具であって、
細長い筆記用具本体と、
前記筆記用具本体の第１端の筆記先端部と、
ユーザが通常握るために用いられる前記筆記用具本体の一部に沿って設けられたグリップ部分と、を有し、前記グリップ部分は、前記筆記先端部と隣接した第１の端壁及びこの第１の端壁から軸線方向に間隔をおいた第２の端壁を有する凹んだ空所と、前記第１の端壁と隣接した段付き部材と、前記第２の端壁と隣接した隆起部分と、を有し、
更に、中実で、弾性変形可能な管状のグリップ部材を有し、前記グリップ部材は、４０ジュロメータ未満のショアＡスケール硬さを有する軟らかくい滑り防止材料で形成され、且つ、前記グリップ部分の第１の端壁と第２の端壁との間の凹んだ空所の中に位置し、更に、前記グリップ部材は、ユーザによって握られるように位置決めされ且つ前記段付き部材と面一な外面と、滑らかな内面と、を有し、その結果、前記グリップ部材は、前記グリップ部分の空所の中にスムーズに嵌り、
更に、前記グリップ部材の上にかぶさりってこれを覆うように、且つ、前記筆記用具に取外し自在に取付けられるように寸法決めされたキャップを有することを特徴とする筆記用具。
【請求項８】  前記グリップ部材が前記グリップ部分にくっつけられることを特徴とする請求項７に記載の筆記用具。
【請求項９】  前記グリップ部材は前記空所内にくっつけられ、前記段付き部分と前記隆起部分との間に位置し且つ構成された第１の端部と第２の端部とを有し、
前記グリップ部材、前記段付き部分及び前記隆起部分は、前記キャップへの前記グリップ部分の挿入時に前記キャップ内に嵌るような寸法形状になっていることを特徴とする請求項７に記載の筆記用具。
【請求項１０】  前記グリップ部材は、少なくとも前記空所の輪郭をたどるような形状になっていることを特徴とする請求項７に記載の筆記用具。
【請求項１１】  インクを収容するように構成された交換可能な内蔵式のインクカートリッジであって、
筆記先端部と、
インク収容部と、
筆記用具の軸部材に取外し自在に取付けられるように構成された外部分と、
前記筆記先端部と前記外部分との間に位置し、インクカートリッジを筆記用具の軸部材に取付けたときにユーザが握るように構成されたグリップ部分と、
前記グリップ部分の上に設けられ、弾性変形可能で、前記グリップ部分の材料よりも軟らかい滑り防止材料で形成されたグリップ部材と、を有し、
インクカートリッジを処分してインクカートリッジを別のインクカートリッジと交換するために、インクカートリッジを筆記用具の軸部材から取外したとき、前記グリップ部材がインクカートリッジと一緒のままであることを特徴とするインクカートリッジ。
【請求項１２】  前記グリップ部材が前記グリップ部分にくっつけられていることを特徴とする請求項１１に記載のインクカートリッジ。
【請求項１３】  筆記媒体を筆記用具に組立てる方法であって、
筆記又はハイライト媒体をを収容する収容部を構成するカートリッジ要素を、軸部材のカートリッジ受入れ用空所に挿入する工程を有し、
前記カートリッジ要素は、その一方の端部に、露出された筆記先端部と、この筆記先端部に隣接した前記カートリッジ要素の一部の上に設けられたエラストマーグリップ部材と、を有することを特徴とする方法。
【請求項１４】  前記カートリッジ要素は、第１の端部及び第２の端部を有し、前記筆記先端部は、前記第１の端部に形成され、
更に、前記カートリッジ要素の第２の端部を、前記カートリッジを受入れるための空所に挿入する工程と、
前記筆記先端部の上にキャップを配置する工程と、を有することを特徴とする請求項１３に記載の方法。
【請求項１５】  更に、前記カートリッジ要素に収容されている筆記又はハイライト媒体がなくなったとき、前記カートリッジ要素を、筆記又はハイライト媒体を収容している別のカートリッジ要素と交換する工程を有し、前記別のカートリッジ要素は、その一方の端部に、露出された筆記先端部と、この筆記先端部に隣接した前記別のカートリッジ要素の一部の上に設けられたグリップ部材と、を有することを特徴とする請求項１３に記載の方法。
【請求項１６】  更に、前記軸部材への前記カートリッジ要素の圧入、スナップ嵌め、化学結合、超音波ボンデイング又はねじ山式係合のうちの１つによって、前記カートリッジエレメントを前記軸部材に取付ける工程を有することを特徴とする請求項１３に記載の方法。
【請求項１７】  更に、筆記を望むときの前記カートリッジ要素の外側の位置と、保管及び持ち運びのための前記カートリッジ要素の内側の位置との間を選択的に位置決めできる筆記又はハイライト媒体を設ける工程を有することを特徴とする請求項１３に記載の方法。
【請求項１８】  筆記用具であって、
細長い本体と、熱可塑性エラストマーで作られたグリップ部材と、を有し、
前記グリップ部材は、ユーザが握るのに通常使用する前記細長い本体の一部の上に嵌められる滑らかな内面を有し、前記内面は、硬化以外の方法によって前記細長い本体の一部にくっつけられることを特徴とする筆記用具。
【請求項１９】  筆記用具であって、
細長い本体と、ユーザが握るために通常使用される前記細長い本体の一部の上に位置決めされたグリップ部材と、を有し、前記グリップ部材は、高くなったパターンを含む滑らかな表面を有し、
前記高くなったパターンは、前記グリップ部材とユーザの指との間の摩擦に加えて前記グリップ部材とユーザの指との間の追加の引っ掛かりを得るために、ユーザの指で弾性変形させるのに十分な高さのものであることを特徴とする筆記用具。
【請求項２０】  前記高くなったパターンは、前記滑らかな表面よりも小さい面積を有することを特徴とする請求項１９に記載の筆記用具。
【請求項２１】  筆記用具であって、
筆記又はハイライト媒体を収容する収容部を構成する細長い本体を有し、この細長い本体は、第１の端部と、第２の端部と、前記第１の端部と前記第２の端部との間の、ユーザが握るために通常使用される前記細長い本体の一部に永続的にくっつけられたグリップ部材と、を有し、
更に、前記細長い本体の第１の端部から露出された筆記先端部を有し、
前記細長い本体は、筆記用具の軸部材に取外し自在に取付けられ、
前記グリップ部材は滑らかな内面を有することを特徴とする筆記用具。
【請求項２２】  前記細長い本体は、圧入、スナップ嵌め又はねじ山式係合のうちの１つによって、筆記用具の前記軸部材に取外し自在に取付けられるように構成されることを特徴とする請求項２１に記載の筆記用具。
【請求項２３】  筆記又はハイライト媒体が、筆記を望むときの前記細長い本体の外側の位置と、保管及び持ち運びのための前記細長い本体の内側の位置との間を選択的に位置決めできるように、前記細長い本体が構成されていることを特徴とする請求項２１に記載の筆記用具。
【請求項２４】  筆記用具であって、
細長い筆記用具本体と、
中実で、弾性変形可能なグリップ部材と、を有し、前記グリップ部材は、３ジュロメータ未満のショアＡスケール硬さを有する材料で形成され、ユーザが握るために通常用いられる前記筆記用具本体の一部の上にくっつけられ、且つ、２．０ｍｍよりも薄い厚さを有することを特徴とする筆記用具。
【請求項２５】  筆記用具であって、
先端開口を有し且つ筆記又はハイライト媒体を収容するように形状決めされた細長い本体を有し、この細長い本体は、その周りに環状の凹んだ空所を構成し、
更に、前記空所に受入れられ且つ同時射出成形によって空所に永続的にくっつけられたグリップ部材と、
前記細長い本体内に収容され、且つ、前記先端開口から露出される筆記先端部を有する筆記又はハイライト媒体と、を有することを特徴とする筆記用具。
【請求項２６】  前記細長い本体は、中空で管状の形状をなし、前記細長い本体を軸線方向に貫いて延びる軸線方向孔を有することを特徴とする筆記用具。
【請求項２７】  筆記用具であって、
一端に筆記先端部を有する細長い本体と、
溶着、溶剤接着、２段同時射出成形又は２成分射出成形のうちの１つの方法によって前記細長い本体にくっつけられたエラストマーグリップ部材と、を有することを特徴とする筆記用具。
【請求項２８】  更に、軸部材を有し、前記細長い本体は、前記軸部材に取外し自在に取りけられ、
更に、前記細長い本体内に収容された筆記又はハイライト媒体を有し、
前記筆記先端部は、前記細長い本体の端部に設けられ、
前記グリップ部材は、前記細長い本体を前記軸部材から取外すときに前記細長い本体と一緒のままであることを特徴とする請求項２７に記載の筆記用具。
【請求項２９】  前記グリップ部材は、使用中に前記グリップ部材が緩むようになるおそれを著しく減少させるために、２段同時射出成形又は２成分射出成形によって前記細長い本体にくっつけられることを特徴とする請求項２７に記載の筆記用具。
【請求項３０】  更に、キャップを有し、前記キャップは、前記筆記先端部及び前記グリップ部材の一部にかぶさるように、且つ、前記筆記用具に取外し自在に取付けられるように寸法決めされていることを特徴とする請求項２７に記載の筆記用具。